【手続補正書】
【提出日】平成22年6月4日(2010.6.4)
【手続補正１】
【補正対象書類名】特許請求の範囲
【補正対象項目名】全文
【補正方法】変更
【補正の内容】
【特許請求の範囲】
【請求項１】
画素電極と保持容量線とを含む第１基板、前記第１基板に対向して共通電極を含む第２基板、前記第１基板と前記第２基板との間に位置する液晶層、及び前記保持容量線に対応する第１領域から前記第１領域の周辺の第２領域にかけて配置されているドメイン分割手段を含み、
前記ドメイン分割手段は前記ドメイン分割手段より広い幅を有する第１ノッチを含み、
前記第１ノッチは前記第２領域のうちの前記第１領域に最も近接した前記第２領域に配置されることを特徴とする液晶表示装置。
【請求項２】
前記ドメイン分割手段は前記共通電極のドメイン分割手段を含むことを特徴とする請求項１に記載の液晶表示装置。
【請求項３】
前記共通電極の前記ドメイン分割手段は第１サブドメイン分割手段と第２サブドメイン分割手段とを含み、
前記第１サブドメイン分割手段と前記第２サブドメイン分割手段とは、前記第１領域内の交差部で合流して異なる方向に延長されることを特徴とする請求項２に記載の液晶表示装置。
【請求項４】
前記第１サブドメイン分割手段と前記第２サブドメイン分割手段のうちのいずれか１つのサブドメイン分割手段は前記交差部から前記第１ノッチにわたるまで伸びており、
第１領域内における前記１つのサブドメイン分割手段の長さは、前記第１領域と前記第２領域との境界から前記第１ノッチまでの長さより長いことを特徴とする請求項３に記載の液晶表示装置。
【請求項５】
前記第１サブドメイン分割手段と前記第２サブドメイン分割手段のうちのいずれか１つのサブドメイン分割手段は前記交差部から前記第１ノッチにわたるまで伸びており、
前記第１領域内における前記１つのサブドメイン分割手段の幅は、前記交差部から前記第１ノッチにわたるまで一定であることを特徴とする請求項３に記載の液晶表示装置。
【請求項６】
前記第１領域における前記第１サブドメイン分割手段と前記第２サブドメイン分割手段のそれぞれには単一の内部ノッチが形成されていることを特徴とする請求項３に記載の液晶表示装置。
【請求項７】
前記ドメイン分割手段は第３サブドメイン分割手段をさらに含み、
前記第３サブドメイン分割手段は、前記交差部で前記第１サブドメイン分割手段及び前記第２サブドメイン分割手段と合流することを特徴とする請求項３に記載の液晶表示装置。
【請求項８】
前記保持容量線は長く延長され、
前記第１サブドメイン分割手段と前記第２サブドメイン分割手段とは、前記保持容量線を中心に互いに対称をなすことを特徴とする請求項７に記載の液晶表示装置。
【請求項９】
前記第３サブドメイン分割手段は、前記保持容量線と平行して長く延長されることを特徴とする請求項８に記載の液晶表示装置。
【請求項１０】
前記第１基板は、
前記保持容量線と前記画素電極との間に形成され、前記保持容量線上で周辺に比べて高さの低い絶縁層をさらに含むことを特徴とする請求項１に記載の液晶表示装置。
【請求項１１】
前記絶縁層は、下部の無機層と上部の有機層とを含むことを特徴とする請求項１０に記載の液晶表示装置。
【請求項１２】
前記有機層は、前記保持容量線上で周辺に比べて高さが低いことを特徴とする請求項１１に記載の液晶表示装置。
【請求項１３】
前記画素電極は、前記保持容量線の上部で前記無機層と直接接することを特徴とする請求項１２に記載の液晶表示装置。
【請求項１４】
前記ドメイン分割手段は前記画素電極に形成されている複数のドメイン分割手段を含み、
前記画素電極の前記ドメイン分割手段のうちの少なくとも１つには前記ドメイン分割手段の幅より広い幅を有する第３ノッチが形成されることを特徴とする請求項２に記載の液晶表示装置。
【請求項１５】
前記ドメイン分割手段は前記画素電極に形成されている複数のドメイン分割手段を含み、
前記画素電極の前記ドメイン分割手段のうちの少なくとも１つには前記ドメイン分割手段の幅より広い幅を有する複数の第３ノッチ及び前記ドメイン分割手段の幅より狭い幅を有する複数の第４ノッチが形成されており、
前記第３ノッチ及び前記第４ノッチは交互に配置されていることを特徴とする請求項２に記載の液晶表示装置。
【請求項１６】
前記ドメイン分割手段は前記画素電極に形成されている複数のドメイン分割手段を含み、
前記画素電極の前記ドメイン分割手段のうちの少なくとも１つには前記ドメイン分割手段の幅より広い幅を有する第３ノッチが形成されており、
前記複数のドメイン分割手段のうちの少なくとも１つは一定の幅を有することを特徴とする請求項２に記載の液晶表示装置。
【請求項１７】
前記第１基板は、ゲート線、データ線、並びに前記ゲート線及び前記データ線に電気的に接続された薄膜トランジスタを含み、
前記薄膜トランジスタは、
ゲート電極と、
前記ゲート電極上に形成された半導体層及びオーミックコンタクト層と、
前記オーミックコンタクト層を間にして互いに対向するソース電極及びドレイン電極と、を含み、
前記データ線と前記ソース電極及び前記ドレイン電極を含むデータ配線と前記オーミックコンタクト層とは互いに重畳することを特徴とする請求項１に記載の液晶表示装置。
【請求項１８】
前記ドメイン分割手段は突起であることを特徴とする請求項１に記載の液晶表示装置。
【請求項１９】
前記液晶層はＶＡモードであることを特徴とする請求項１に記載の液晶表示装置。
【請求項２０】
画素電極を含む第１基板、前記第１基板に対向して共通電極を含む第２基板、及び前記第１基板と前記第２基板との間に位置するＶＡモードの液晶層を含み、
前記共通電極は第１領域及び前記第１領域の周辺の第２領域に配置されているドメイン分割手段を含み、ここで前記第１領域における前記第１基板と前記第２基板との間の間隔は前記第２領域における前記第１基板と前記第２基板との間の間隔と互いに異なっており、前記共通電極のドメイン分割手段は前記ドメイン分割手段より広い幅を有する第１ノッチと前記ドメイン分割手段より狭い幅を有する第２ノッチとを含む複数のノッチが形成され、
前記第１ノッチは前記第２領域のうち前記第１領域に最も近接した前記第２領域に配置されることを特徴とする液晶表示装置。
【請求項２１】
前記第１領域における前記第１基板と前記第２基板との間の前記間隔は、前記第２領域における前記第１基板と前記第２基板との間の前記間隔より広いことを特徴とする請求項２０に記載の液晶表示装置。
【請求項２２】
前記共通電極の前記ドメイン分割手段は、第１サブドメイン分割手段と第２サブドメイン分割手段とを含み、
前記第１サブドメイン分割手段と前記第２サブドメイン分割手段とは、前記第１領域内の交差部で合流して異なる方向に延長されることを特徴とする請求項２０に記載の液晶表示装置。
【請求項２３】
前記第１サブドメイン分割手段と前記第２サブドメイン分割手段のうちのいずれか１つのサブドメイン分割手段は前記交差部から前記第１ノッチまで伸びており、前記１つのサブドメイン分割手段の幅は、前記交差部から前記第１ノッチにわたるまで一定であることを特徴とする請求項２２に記載の液晶表示装置。
【請求項２４】
前記第１領域における前記第１サブドメイン分割手段及び前記第２サブドメイン分割手段のそれぞれには単一のノッチが形成されていることを特徴とする請求項２２に記載の液晶表示装置。
【請求項２５】
前記共通電極の前記ドメイン分割手段は第３サブドメイン分割手段をさらに含み、
前記第３サブドメイン分割手段は、前記交差部で前記第１サブドメイン分割手段及び前記第２サブドメイン分割手段と合流することを特徴とする請求項２２に記載の液晶表示装置。
【請求項２６】
前記ドメイン分割手段は前記ドメイン分割手段の幅より狭い幅を有する第２ノッチをさらに含むことを特徴とする請求項１に記載の液晶表示装置。
【請求項２７】
前記ドメイン分割手段は前記共通電極のドメイン分割手段を含み、
前記共通電極のドメイン分割手段は第１サブドメイン分割手段と第２サブドメイン分割手段とを含み、
前記第１サブドメイン分割手段及び前記第２サブドメイン分割手段は、前記第１領域内の交差部で合流して互いに異なる方向に延長されており、
前記第１サブドメイン分割手段及び前記第２サブドメイン分割手段内において、前記第１ノッチと前記第２ノッチは互いに交互に配置されることを特徴とする請求項２６に記載の液晶表示装置。
【請求項２８】
前記ドメイン分割手段は、前記メイン分割手段の幅より狭い幅を有する第２ノッチをさらに含むことを特徴とする請求項２０に記載の液晶表示装置。